(57)【特許請求の範囲】
【請求項１】
電源供給源から電源電圧が入力される電源入力端子と、
被測定機器に接続され、前記電源入力端子から入力された電源電圧を前記被測定機器に出力する電源出力端子と、
前記電源入力端子に接続された第１および第２の導電線に設けられ、前記電源入力端子と前記電源出力端子との間での信号の伝達を遮断する信号遮断回路と、
前記電源出力端子と前記信号遮断回路との間の電源電圧に含まれる信号からコモンモード信号を取り出すコモンモード信号検出回路と、
前記電源出力端子と前記信号遮断回路との間の電源電圧に含まれる信号からノーマルモード信号を取り出すノーマルモード信号検出回路と、
前記コモンモード信号検出回路の出力端に設けられたコモンモード信号出力端子と、
前記ノーマルモード信号検出回路の出力端に設けられたノーマルモード信号出力端子と
を備え、
前記ノーマルモード信号検出回路は、
前記電源電圧を遮断する第１のハイパスフィルタと、
前記ハイパスフィルタを通過した信号からコモンモード信号を除去するコモンモード信号相殺回路と
を含む
信号検出装置。
【請求項２】
前記コモンモード信号検出回路の入力端に設けられた第１のスイッチと、
前記ノーマルモード信号検出回路の入力端に設けられた第２のスイッチと
をさらに備えた
請求項１に記載の信号検出装置。
【請求項３】
前記電源出力端子と前記信号遮断回路との間の電源電圧に含まれるコモンモード信号とノーマルモード信号とを混在した状態で出力する混合信号出力端子をさらに備えた
請求項２に記載の信号検出装置。
【請求項４】
前記コモンモード信号相殺回路は、
前記第１および第２の導電線に設けられ、第１および第２の導電線の間に相互インダクタンスを発生させる第１の相互インダクタンス素子と、
前記第１および第２の導電線の間に設けられ、前記電源入力端子から入力された電源電圧に含まれるコモンモード信号を検出してその位相を反転させる検出反転回路と、
前記検出反転回路により位相が反転された反転信号を前記第１の相互インダクタンス素子に注入する注入回路と
を有する
請求項１に記載の信号検出装置。
【請求項５】
前記第１の相互インダクタンス素子は、前記第１の導電線に挿入された第１の巻線と、
前記第２の導電線に挿入されて前記第１の巻線と結合する第２の巻線とを含んで構成され、
前記注入回路は、前記第１の相互インダクタンス素子との間で相互インダクタンスが発生するように前記第１の相互インダクタンス素子に結合された第３の巻線を含んで構成され、
前記検出反転回路は、第１および第２の導電線の間に直列接続された第１および第２のコンデンサを含んで構成され、
前記第３の巻線は、一端が前記第１および第２のコンデンサの相互接続点に接続され、他端が接地に接続されている
請求項４に記載の信号検出装置。
【請求項６】
前記コモンモード信号相殺回路は、前記検出反転回路と前記注入回路との間の第１および第２の導電線に、コモンモード信号に対するインピーダンス素子として機能する第２の相互インダクタンス素子をさらに有する
請求項４または請求項５に記載の信号検出装置。
【請求項７】
電源供給源から電源電圧が入力される電源入力端子と、
被測定機器に接続され、前記電源入力端子から入力された電源電圧を前記被測定機器に出力する電源出力端子と、
前記電源入力端子に接続された第１および第２の導電線に設けられ、前記電源入力端子と前記電源出力端子との間での信号の伝達を遮断する信号遮断回路と、
前記電源出力端子と前記信号遮断回路との間の電源電圧に含まれる信号からコモンモード信号を取り出すコモンモード信号検出回路と、
前記電源出力端子と前記信号遮断回路との間の電源電圧に含まれる信号からノーマルモード信号を取り出すノーマルモード信号検出回路と、
前記コモンモード信号検出回路の出力端に設けられたコモンモード信号出力端子と、
前記ノーマルモード信号検出回路の出力端に設けられたノーマルモード信号出力端子と
を備え、
前記コモンモード信号検出回路は、
信号のみを通過させる第２のハイパスフィルタと、
前記ハイパスフィルタを通過した信号からノーマルモード信号を除去するノーマルモード信号相殺回路と
を含む
信号検出装置。
【請求項８】
前記ノーマルモード信号相殺回路は、
前記第１および第２の導電線に設けられ、第１および第２の導電線の間に相互インダクタンスを発生させる第３の相互インダクタンス素子と、
前記第１の導電線に接続され、第１の導電線の電源電圧に含まれるノーマルモード信号を検出してその位相を反転させると共にその反転信号を前記第３の相互インダクタンス素子を介して前記第１の導電線に注入する検出反転注入回路と、
前記検出反転注入回路の前記第１の導電線への接続位置と前記第３の相互インダクタンス素子との間において前記第１の導電線に設けられ、ノーマルモード信号の波高値を低減するインピーダンス素子と
を有する請求項７に記載の信号検出装置。
【請求項９】
前記第３の相互インダクタンス素子は、前記第１の導電線に挿入された第４の巻線と、一端が前記第２の導電線に接続され前記第４の巻線と相互結合する第５の巻線とを含んで構成され、
前記検出反転注入回路は、前記第１の導電線と前記第５の巻線の他端との間に接続された第３のコンデンサを含んで構成され、
前記インピーダンス素子は、前記第１の導電線に挿入された第６の巻線を含んで構成されている
請求項８に記載の信号検出装置。
【発明の詳細な説明】
【技術分野】
【０００１】
本発明は、各種の電気機器の電源端子に誘起される高周波の信号電圧（雑音，ノイズ）
を測定するために用いられる信号検出装置に関する。
【背景技術】
【０００２】
近年、家庭や企業等において電気機器が多数使用されるようになったことに伴い、電気
機器から発生する電磁妨害（ＥＭＩ；Electro-Magnetic Interference ）雑音が他の電子
機器に悪影響を与える問題が起きている。このようなＥＭＩ雑音には、電源ラインを通し
て伝播していく伝導妨害波と、機器から直接放射される放射妨害波とに大別される。この
うち、伝導妨害波を評価するための方法の１つとして、雑音端子電圧試験がある。この試
験は、電気機器の電源端子に誘起される高周波の雑音信号電圧を測定する試験である。
【０００３】
この雑音端子電圧に関して各国で厳しい規格が制定されている。たとえば国際規格のＣ
ＩＳＰＲ（国際無線障害特別委員会）、米国のＦＣＣ（アメリカ連邦通信委員会）、日本
のＶＣＣＩ（日本情報処理装置等電波障害自主規制協議会）等の規格がある。例えば、Ｃ
ＩＳＰＲ２２では１５０ＫＨｚ〜３０ＭＨｚという広範囲な周波数に対して厳しい規格値
が規定されている。これに対して、従来より、図１８に示したような雑音端子電圧用の測
定装置が電波暗室に設置され、規格への適合性を測定することが行われている。
【０００４】
図１８は、規格適合性の測定に用いられる雑音端子電圧測定システムを表すものである
。このシステムでは、商用電源からの電源電圧が、電源ケーブル１００Ｃ（ここでは、１
対の電源線と接地線とを一本の太いラインで示している）を介して、測定装置１０１の疑
似回路電源網１０１Ｃに供給され、さらに、電源線１０１Ａ，１０１Ｂおよび接地線１０
１Ｇを介して被測定機器１０２に供給される。被測定機器１０２で発生した雑音は、スペ
クトルアナライザ１０３によって測定されるようになっている。疑似回路電源網１０１Ｃ
は、被測定機器１０２と電源との間に挿入され、被測定機器１０２の電源端子から見たイ
ンピーダンスを規定値（５０〜１５０Ω）に保ちながら電源を供給すると共に、電源側に
存在する外来雑音から測定回路を分離するためのもので、被測定機器１０２で発生する雑
音信号を正確に検出するために欠くことができない信号検出装置である。
【０００５】
この測定装置１０１では、スイッチ１０１Ｓを備えており、このスイッチ１０１Ｓを切
り換えることによって、電源線１０１Ａ側の雑音または電源線１０１Ｂ側の雑音を選択的
に測定することができる。
【０００６】
図１９は、測定装置１０１の具体的回路の一例を表すものである。この回路は、例えば
非特許文献１に記載されたものである。
【非特許文献１】協立電子工業株式会社製  擬似電源回路網ＫＮＷ−２４２Ｃ  結線図
【０００７】
この測定装置１０１は、電源入力端子Ｊ１と、電源出力端子Ｊ２と、信号出力端子Ｊ３とを備えている。電源入力端子Ｊ１と電源出力端子Ｊ２との間の電源線１０１Ａ，１０
１Ｂに擬似電源回路網１０１Ｃが設けられている。擬似電源回路網１０１Ｃは、電源線１
０１Ａに挿入された直列接続のインダクタンス素子Ｌ１，Ｌ３と、電源線１０１Ｂに挿入
された直列接続のインダクタンス素子Ｌ２，Ｌ４とを有する。
【０００８】
インダクタンス素子Ｌ１の電源入力端子Ｊ１側は、抵抗器Ｒ１を介して接地に接続され
ると共に、直列接続されたコンデンサＣ１および抵抗器Ｒ３を介して接地に接続されてい
る。インダクタンス素子Ｌ１，Ｌ３の接続点は、直列接続されたコンデンサＣ３および抵
抗器Ｒ５を介して接地に接続され、インダクタンス素子Ｌ３の電源出力端子Ｊ２側は、直
列接続されたコンデンサＣ５および抵抗器Ｒ７を介して接地に接続されている。
【０００９】
インダクタンス素子Ｌ２の電源入力端子Ｊ１側は、抵抗器Ｒ２を介して接地に接続され
ると共に、直列接続されたコンデンサＣ２および抵抗器Ｒ４を介して接地に接続されてい
る。インダクタンス素子Ｌ２，Ｌ４の接続点は、直列接続されたコンデンサＣ４および抵
抗器Ｒ６を介して接地に接続され、インダクタンス素子Ｌ４の電源出力端子Ｊ２側は、直
列接続されたコンデンサＣ６および抵抗器Ｒ８を介して接地に接続されている。
【００１０】
コンデンサＣ５と抵抗器Ｒ７との接続点Ｐ１およびコンデンサＣ６と抵抗器Ｒ８との接
続点Ｐ２はスイッチ１０１Ｓに接続され、このスイッチ１０１Ｓの切り換えにより、接続
点Ｐ１，Ｐ２のいずれか一方の雑音信号が信号出力端子Ｊ３に現れ、他方が接地に接続さ
れるようになっている。
【００１１】
この擬似電源回路網１０１Ｃは、電源線１０１Ａに着目すると、インダクタンス素子Ｌ
１，Ｌ３とコンデンサＣ１，Ｃ３とからなるＬＣフィルタを構成しており、また、電源線
１０１Ｂに着目すると、インダクタンス素子Ｌ２，Ｌ４とコンデンサＣ２，Ｃ４とからな
るＬＣフィルタを構成している。これらのＬＣフィルタを、電源入力端子Ｊ１からの雑音
信号と電源出力端子Ｊ２からの雑音信号の双方に対して高いインピーダンスを示すように
構成することにより、低周波の交流電圧は通過させる一方、電源入力端子Ｊ１と電源出力
端子Ｊ２との間を高周波の雑音信号に関してアイソレート（隔絶または分離）するように
なっている。
【００１２】
インダクタンス素子Ｌ１，Ｌ３およびインダクタンス素子Ｌ２，Ｌ４としては、周波数
特性を高域までフラットにするために（すなわち、周波数によらずに信号分離ができるよ
うにするために）、コイル中にコアを入れないで構成した空芯コイルが用いられている。
コアを有すると、信号分離特性が周波数依存性をもつことになるからである。
【発明の開示】
【発明が解決しようとする課題】
【００１３】
ところで、最近の雑音に関する社会環境を考察すると、以下の点があげられる。
１）トップランナー方式による省エネルギーが推進されている。
２）電源ラインの高調波歪みが問題となり、高調波対策回路を搭載することが一般的とな
ってきた。
３）プラズマディスプレイのように家電製品の一部は大電力化の傾向にある。
４）情報機器のみならず、家電製品もマイクロプロセッサによる制御が一般的になってき
た。
５）電動工具等の回転系電気機器による雑音問題に加え、照明器具や空調機等にもインバ
ータ制御が導入されたことによるスイッチング雑音の問題が顕在化してきた。
【００１４】
このように、最近では特に、機器電源のスイッチング制御化の増加や、一次側位相制御
回路の増加、さらには、スイッチング回路の多重化等によって、電気機器が発生する雑音
は増大傾向にある。このため、雑音が規格を満たしているか否かを調べるために、図１８
に示したような測定システムを用いて雑音端子電圧を測定する必要性が高まる一方である
。
【００１５】
ところで、このような雑音端子電圧には、コモンモード（雑音）信号とノーマルモード
（雑音）信号とがある。コモンモード信号は、２本の導電線（例えば一対の電源線）を同
じ位相で伝搬する信号であり、ノーマルモード信号は、２本の導電線によって伝送されて
２本の導電線の間で電位差を生じさせる信号である。これらの各モードの信号の大きさや
周波数帯は、測定対象の電気機器の回路構成によって大きく異なる場合が多い。
【００１６】
しかしながら、図１８に示した測定装置は、雑音端子電圧を測定対象としてはいるもの
の、コモンモード信号とノーマルモード信号とをまとめて（混在した形で）測定するよう
になっている。したがって、各モードごとに信号を分離して測定することができず、雑音
発生の原因解析を詳細かつ的確に行うには情報量が足りず、試行錯誤をしながら雑音対策
をしなければならない。このため、雑音対策には豊富な経験と多大の時間や労力とが必要
となり、新規の電気製品を開発する際の開発コストが増大するという欠点があった。
【００１７】
本発明はかかる問題に鑑みてなされたもので、その第１の目的は、雑音発生の原因解析
を簡便かつ的確に行うことを可能とする優れた測定機能を有する信号検出装置を提供する
ことにある。また、本発明の第２の目的は、そのような優れた測定機能を持ちながら、電
気機器開発技術者の開発ツールとして簡便に利用することができる小型で安価な信号検出
装置を提供することにある。
【課題を解決するための手段】
【００１８】
本発明の第１の信号検出装置は、電源供給源から電源電圧が入力される電源入力端子と、被測定機器に接続され、電源入力端子から入力された電源電圧を被測定機器に出力する電源出力端子と、電源入力端子に接続された第１および第２の導電線に設けられ、電源入力端子と電源出力端子との間での信号の伝達を遮断する信号遮断回路と、電源出力端子と信号遮断回路との間の電源電圧に含まれる信号からコモンモード信号を取り出すコモンモード信号検出回路と、電源出力端子と信号遮断回路との間の電源電圧に含まれる信号からノーマルモード信号を取り出すノーマルモード信号検出回路と、コモンモード信号検出回路の出力端に設けられたコモンモード信号出力端子と、ノーマルモード信号検出回路の出力端に設けられたノーマルモード信号出力端子とを備えている。ノーマルモード信号検出回路は、電源電圧を遮断する第１のハイパスフィルタと、ハイパスフィルタを通過した信号からコモンモード信号を除去するコモンモード信号相殺回路とを含むものである。
本発明の第２の信号検出装置は、電源供給源から電源電圧が入力される電源入力端子と、被測定機器に接続され、電源入力端子から入力された電源電圧を被測定機器に出力する電源出力端子と、電源入力端子に接続された第１および第２の導電線に設けられ、電源入力端子と電源出力端子との間での信号の伝達を遮断する信号遮断回路と、電源出力端子と信号遮断回路との間の電源電圧に含まれる信号からコモンモード信号を取り出すコモンモード信号検出回路と、電源出力端子と信号遮断回路との間の電源電圧に含まれる信号からノーマルモード信号を取り出すノーマルモード信号検出回路と、コモンモード信号検出回路の出力端に設けられたコモンモード信号出力端子と、ノーマルモード信号検出回路の出力端に設けられたノーマルモード信号出力端子とを備えている。コモンモード信号検出回路は、信号のみを通過させる第２のハイパスフィルタと、ハイパスフィルタを通過した信号からノーマルモード信号を除去するノーマルモード信号相殺回路とを含むものである。
【００１９】
本発明の第１および第２の信号検出装置では、電源入力端子から入力された電源電圧に含まれるコモンモード信号およびノーマルモード信号は、信号遮断回路によって測定系（信号検出回路側）への通過が遮断される。被測定機器で発生したコモンモード信号およびノーマルモード信号は、電源出力端子から第１および第２の導電線に進入するが、信号遮断回路によって電源入力端子側への通過が遮断される。電源出力端子から進入した信号のうち、コモンモード信号は、コモンモード信号検出回路によって取り出され、コモンモード信号出力端子から出力される。電源出力端子から進入した信号のうち、ノーマルモード信号は、ノーマルモード信号検出回路によって取り出され、ノーマルモード信号出力端子から出力される。この結果、コモンモード信号およびノーマルモード信号がそれぞれ独立に検出される。
【００２０】
本発明の第１の信号検出装置では、コモンモード信号検出回路の入力端に設けられた第１のスイッチと、ノーマルモード信号検出回路の入力端に設けられた第２のスイッチとをさらに備えるようにしてもよい。また、電源出力端子と信号遮断回路との間の電源電圧に含まれるコモンモード信号とノーマルモード信号とを混在した状態で出力する混合信号出力端子をさらに備えるようにしてもよい。
【００２１】
本発明の第１の信号検出装置では、コモンモード信号相殺回路が、第１および第２の導電線に設けられ第１および第２の導電線の間に相互インダクタンスを発生させる第１の相互インダクタンス素子と、第１および第２の導電線の間に設けられ電源入力端子から入力された電源電圧に含まれるコモンモード信号を検出してその位相を反転させる検出反転回路と、検出反転回路により位相が反転された反転信号を第１の相互インダクタンス素子に注入する注入回路とを含むようにすることが可能である。ここで、第１の相互インダクタンス素子が、第１の導電線に挿入された第１の巻線と、第２の導電線に挿入されて第１の巻線と結合する第２の巻線とを含み、注入回路が、第１の相互インダクタンス素子との間で相互インダクタンスが発生するように第１の相互インダクタンス素子に結合された第３ の巻線を含み、検出反転回路が、第１および第２の導電線の間に直列接続された第１および第２のコンデンサを含むようにすると共に、第３の巻線の一端を第１および第２のコンデンサの相互接続点に接続し、他端を接地に接続するように構成することが可能である。さらに、コモンモード信号相殺回路が、検出反転回路と注入回路との間の第１および第２の導電線に、コモンモード信号に対するインピーダンス素子として機能する第２の相互インダクタンス素子を備えるようにすることが好ましい。
【００２２】
本発明の第２の信号検出装置では、ノーマルモード信号相殺回路が、第１および第２の導電線に設けられ第１および第２の導電線の間に相互インダクタンスを発生させる第３の相互インダクタンス素子と、第１の導電線に接続され第１の導電線の電源電圧に含まれるノーマルモード信号を検出してその位相を反転させると共にその反転信号を第３の相互インダクタンス素子を介して第１の導電線に注入する検出反転注入回路と、検出反転注入回路の第１の導電線への接続位置と第３の相互インダクタンス素子との間において第１の導電線に設けられノーマルモード信号の波高値を低減するインピーダンス素子とを含むように構成することが可能である。ここで、第３の相互インダクタンス素子が、第１の導電線に挿入された第４の巻線と、一端が第２の導電線に接続され第４の巻線と相互結合する第５の巻線とを含み、検出反転注入回路が、第１の導電線と第５の巻線の他端との間に接続された第３のコンデンサを含み、インピーダンス素子が、第１の導電線に挿入された第６の巻線を含むように構成することが可能である。
【００２３】
本発明の第１および第２の信号検出装置によれば、信号遮断回路によって測定系（信号検出回路側）と電源側との間での信号の伝達を遮断した上で、被測定機器で発生した信号のうちのコモンモード信号をコモンモード信号検出回路によって取り出してコモンモード信号出力端子から出力すると共に、信号のうちのノーマルモード信号をノーマルモード信号検出回路によって取り出してノーマルモード信号出力端子から出力するようにしたので、コモンモード信号およびノーマルモード信号をそれぞれ独立に検出することができる。その結果、ノイズ発生の原因解析を精細かつ的確に行うための情報を得ることができ、パワーエレクトロニクス研究開発技術者にとって極めて有用な雑音端子電圧試験用の開発ツールを提供することができる。
【００２４】
「信号」は、これが不要または有害とされる場合には、雑音（ノイズ）となるものであ
る。「コモンモード信号」とは、２本の導電線を同じ位相で伝搬する信号をいい、「ノー
マルモード信号」とは、２本の導電線によって伝送されて２本の導電線の間で電位差を生
じさせる信号をいう。
【００２５】
「電源供給源」は、電源電圧を供給する電源であり、通常は商用電源が相当するが、自
家発電による電源も含まれる。なお、電源電圧は、通常は交流電圧であるが、直流電圧で
あってもよい。「被測定機器」は、信号の発生源として測定対象となる電気機器である。
【００２６】
「信号遮断回路」は、電源電圧は伝達させるが、信号の伝達を遮断するフィルタである
。「コモンモード信号出力端子」、「ノーマルモード信号出力端子」および「混合信号出
力端子」は、例えばスペクトルアナライザ等の信号測定機に接続される端子である。
【発明の効果】
【００２７】
本発明の信号検出装置によれば、信号遮断回路によって測定系（信号検出回路側）と電
源側との間での信号の伝達を遮断した上で、被測定機器で発生した信号のうちのコモンモ
ード信号をコモンモード信号検出回路によって取り出してコモンモード信号出力端子から
出力すると共に、信号のうちのノーマルモード信号をノーマルモード信号検出回路によっ
て取り出してノーマルモード信号出力端子から出力するようにしたので、コモンモード信
号およびノーマルモード信号をそれぞれ独立に検出することができる。その結果、ノイズ
発生の原因解析を精細かつ的確に行うための情報を得ることができ、パワーエレクトロニ
クス研究開発技術者にとって極めて有用な雑音端子電圧試験用の開発ツールを提供するこ
とができる。
【００２８】
特に、第１の信号検出装置において、コモンモード信号検出回路およびノーマルモード信号検出回路の各入力端に、それぞれ、第１のスイッチおよび第２のスイッチを設けるようにした場合には、一方での測定中に他方の回路が悪影響を及ぼすことを防止することも可能になるので、より正確な信号レベル検出が可能になる。
【００２９】
また、第１および第２の信号検出装置では、コモンモード信号相殺回路を用いてノーマルモード信号検出回路を構成し、またはノーマルモード信号相殺回路を用いてコモンモード信号検出回路を構成するようにしたので、ＬＣ共振回路を用いた場合に比べて回路の小型・軽量化を図ることができ、電波暗室以外の任意の場所（実験室等の開発現場）でも簡便に利用することができるポータブル性を有する信号検出装置を得ることができる。
【００３０】
また、第１および第２の信号検出装置では、前段のハイパスフィルタによって電源周波数成分を取り除くようにしたので、後段のコモンモード信号相殺回路やノーマルモード信号相殺回路の設計の際に、高周波信号の除去のみを考慮すればよいため、コモンモード信号相殺回路やノーマルモード信号相殺回路のさらなる小型化が可能であり、よりコンパクトな信号検出装置を得ることができる。
【００３１】
また、第１の信号検出装置において、コモンモード信号相殺回路の検出反転回路と注入回路との間の第１および第２の導電線に、コモンモード信号に対するインピーダンス素子として機能する第２の相互インダクタンス素子を設けるようにした場合には、コモンモード信号をより効果的に除去することができる。
【発明を実施するための最良の形態】
【００３２】
以下、本発明を実施するための最良の形態（以下、単に実施の形態という。）について
、図面を参照して詳細に説明する。
【００３３】
図１は本発明の一実施の形態に係る信号検出装置を表すものである。この信号検出装置
２は、高周波信号であるコモンモード信号とノーマルモード信号とを個別に検出すること
ができる機能を備えた小型でポータブルな装置である。なお、「コモンモード信号」とは
、後述する電源線２１Ａ，２１Ｂを同じ位相で伝搬する信号であり、「ノーマルモード信
号」とは、電源線２１Ａ，２１Ｂによって伝送されて電源線２１Ａ，２１Ｂ間で電位差を
生じさせる信号である。
【００３４】
この信号検出装置２は、商用電源に接続される電源ケーブル１Ｃと、接地された筐体１
Ａと、電源ケーブル１Ｃが接続された電源入力端子Ｔ１と、被測定機器３の電源ケーブル
３Ａが接続される電源出力端子Ｔ２と、図示しないスペクトルアナライザ等の信号測定機
に接続される信号出力端子Ｔ３〜Ｔ５とを備えている。電源入力端子Ｔ１からの交流電圧
は、１対の電源線２１Ａ，２１Ｂによって電源出力端子Ｔ２に導かれ、被測定機器３に供
給されるようになっている。
【００３５】
信号検出装置２はまた、電源入力端子Ｔ１に接続された電源線２１Ａ，２１Ｂに設けら
れた信号抑止フィルタ２２と、信号抑止フィルタ２２と電源出力端子Ｔ２との間の電源線
２１Ａ，２１Ｂに設けられた信号分離フィルタ２３とを備えている。ここで、「信号抑止
フィルタ２２」および「信号分離フィルタ２３」が、本発明における信号遮断回路の一具
体例に対応する。
【００３６】
信号検出装置２はさらに、電源出力端子Ｔ２と信号出力端子Ｔ３との間に設けられたコ
モンモード信号検出回路２５と、電源出力端子Ｔ２と信号出力端子Ｔ４との間に設けられ
たノーマルモード信号検出回路２６と、電源出力端子Ｔ２と信号出力端子Ｔ５との間に設
けられた線路変換回路２７とを備えている。コモンモード信号検出回路２５の入力端（電
源出力端子Ｔ２側）にはスイッチＳ１が設けられ、ノーマルモード信号検出回路２６の入
力端（電源出力端子Ｔ２側）にはスイッチＳ２が設けられ、線路変換回路２７の入力端  
（電源出力端子Ｔ２側）にはスイッチＳ３が設けられている。ここで、スイッチＳ１，Ｓ
２が、それぞれ、本発明における「第１のスイッチ」および「第２のスイッチ」の一具体
例に対応する。なお、スイッチＳ３は、例えば、トルグスイッチやロータリースイッチを
用いて構成され、各線路に対して、非連動に動作し得るようになっている。具体的には、
一方のラインノイズを測定する際は他方のラインを開放状態にすることができ、更に、電
源出力端子Ｔ３，Ｔ４を用いてノイズ測定を行う際のために両ラインを同時に開放状態と
することもできるよう構成されている。
【００３７】
信号抑止フィルタ２２は、電源入力端子Ｔ１から入力された電源電圧に含まれる信号を
抑止するためのものであり、信号分離フィルタ２３は、電源出力端子Ｔ２と信号抑止フィ
ルタ２２との間での信号の伝達を阻止するためのものである。
【００３８】
コモンモード信号検出回路２５は、スイッチＳ１が閉じられることにより、電源出力端
子Ｔ２と信号分離フィルタ２３との間の電源線２１Ａ，２１Ｂにおける電源電圧に含まれ
る信号からコモンモード信号を取り出し、信号出力端子Ｔ３から出力するようになってい
る。ノーマルモード信号検出回路２６は、スイッチＳ２が閉じられることにより、電源出
力端子Ｔ２と信号分離フィルタ２３との間の電源線２１Ａ，２１Ｂにおける電源電圧に含
まれる信号からノーマルモード信号を取り出し、信号出力端子Ｔ４から出力するようにな
っている。線路変換回路２７は、スイッチＳ３が閉じられることにより、電源出力端子Ｔ
２と信号分離フィルタ２３との間の電源線２１Ａ，２１Ｂ上の電源電圧に含まれるコモン
モード信号およびノーマルモード信号の混在信号を不平衡信号に変換して信号出力端子Ｔ
５から出力するもので、例えばコモンモード信号検出回路２５に含まれる線路変換回路（
後述する図５の線路変換回路２５７）と同様に構成されている。ここで、信号出力端子Ｔ
３，Ｔ４が、それぞれ、本発明における「コモンモード信号出力端子」，「ノーマルモー
ド信号出力端子」の一具体例に対応する。
【００３９】
図２は信号抑止フィルタ２２の回路構成の一例を表し、図３は信号抑止フィルタ２２の
機能のうち、コモンモード信号相殺回路２２１に係る部分を表すものである。この信号抑
止フィルタ２２は、電源入力端子Ｔ１に近い側の端子Ｘ１Ａ，Ｘ１Ｂと、電源入力端子Ｔ
１から遠い側の端子Ｘ２Ａ，Ｘ２Ｂとの間に設けられたコモンモード信号相殺回路２２１
、ノーマルモード信号抑止回路２２２およびコモンモード信号抑止回路２２３を備えてい
る。
【００４０】
コモンモード信号相殺回路２２１は、電源線２１Ａ，２１Ｂ間に設けられた検出反転回
路２２４と、検出反転回路２２４に隣接して電源線２１Ａ，２１Ｂに設けられたインピー
ダンス素子としてのインダクタンス素子２２５と、インダクタンス素子２２５に関して検
出反転回路２２４とは反対側の電源線２１Ａ，２１Ｂに設けられたインダクタンス素子２
２６と、インダクタンス素子２２６との間に相互インダクタンスを発生させるように構成
された巻線Ｌ１１Ｃとを含んで構成されている。
【００４１】
検出反転回路２２４は、電源線２１Ａと電源線２１Ｂとの間に直列接続されたコンデン
サＣ１０，Ｃ１１からなり、電源入力端子Ｔ１から入力された電源電圧に含まれるコモン
モード信号を検出してその位相を反転させるようになっている。ここで、コンデンサＣ１
０，Ｃ１１が、本発明における「第１および第２のコンデンサ」の一具体例に対応する。
【００４２】
インダクタンス素子２２５は、電源線２１Ａに挿入された巻線Ｌ１０Ａと、電源線２１
Ｂに挿入された巻線Ｌ１０Ｂと、コアＬ１０Ｃとからなり、電源線２１Ａ，２１Ｂ間に相
互インダクタンスを発生させることにより、コモンモード信号に対するインピーダンス素
子として機能するものである。このインダクタンス素子２２５の存在により、コモンモー
ド信号をより効果的に減衰させることができると共に、その位相を遅延させて、検出反転
回路２２４から巻線Ｌ１１Ｃに注入される反転信号との位相差が１８０度になりやすくす
ることができる。
【００４３】
インダクタンス素子２２６は、電源線２１Ａに挿入された巻線Ｌ１１Ａと、電源線２１
Ｂに挿入された巻線Ｌ１１Ｂと、コアＬ１１Ｄとからなり、電源線２１Ａ，２１Ｂ間に相
互インダクタンスを発生させるようになっている。ここで、インダクタンス素子２２６が
、本発明における「第１の相互インダクタンス素子」の一具体例に対応し、インダクタン
ス素子２２５が、本発明における「第２の相互インダクタンス素子」の一具体例に対応す
る。また、巻線Ｌ１１Ａ，Ｌ１１Ｂが、本発明における「第１および第２の巻線」の一具
体例に対応する。
【００４４】
巻線Ｌ１１Ｃは、コアＬ１１Ｄを共用するように巻設され、検出反転回路２２４により
検出されて位相が反転された反転信号をインダクタンス素子２２６の巻線Ｌ１１Ａ，Ｌ１
１Ｂに注入する注入回路として機能するようになっている。巻線Ｌ１０Ｃの一端は検出反
転回路２２４におけるコンデンサＣ１０，Ｃ１１の相互接続点に接続され、他端は接地に
接続されている。ここで巻線Ｌ１１Ｃが、本発明における「第３の巻線」の一具体例に対
応する。
【００４５】
このような構成のコモンモード信号相殺回路２２１では、検出反転回路２２４によって
端子Ｘ１Ａ，Ｘ１Ｂから電源線２１Ａ，２１Ｂ上を伝播してくるコモンモード信号を検出
し、これを反転した上で巻線Ｌ１１Ｃを介してインダクタンス素子２２６の巻線Ｌ１１Ａ
，Ｌ１１Ｂに注入して、電源線２１Ａ，２１Ｂ上のコモンモード信号をキャンセルするこ
とにより、コモンモード信号を除去することができるようになっている。
【００４６】
ノーマルモード信号抑止回路２２２は、検出反転回路２２４と端子Ｘ１Ａ，Ｘ１Ｂとの
間における電源線２１Ａ，２１Ｂ間に設けられたコンデンサＣ１２と、インダクタンス素
子２２６と端子Ｘ２Ａ，Ｘ２Ｂとの間における電源線２１Ａ，２１Ｂ間に設けられたコン
デンサＣ１３とを含む。これらのコンデンサＣ１２，Ｃ１３は、インダクタンス素子２２
５，２２６の巻線Ｌ１０Ａ，Ｌ１０Ｂ，Ｌ１１Ａ，Ｌ１１Ｂの洩れ（リーケージ）インダ
クタンスと協働して、ノーマルモード信号を抑止するπ型ノーマルモードフィルタとして
作用する。ここで、コンデンサＣ１２，Ｃ１３は、通常、Ｘキャパシタと呼ばれるもので
、本発明における「第３および第４のコンデンサ」の一具体例に対応する。
【００４７】
コモンモード信号抑止回路２２３は、インダクタンス素子２２６と端子Ｘ２Ａ，Ｘ２Ｂ
との間における電源線２１Ａ，２１Ｂ間に直列接続されたコンデンサＣ１４，Ｃ１５によ
り構成される。コンデンサＣ１４，Ｃ１５の相互接続点は接地に接続されている。これら
のコンデンサＣ１４，Ｃ１５が協働して、特に高域におけるコモンモード信号を抑止する
ようになっている。ここで、コンデンサＣ１４，Ｃ１５は、通常、Ｙキャパシタと呼ばれ
るもので、本発明における「第５および第６のコンデンサ」の一具体例に対応する。
【００４８】
図４は信号分離フィルタ２３の回路構成の一例を表すものである。この信号分離フィル
タ２３は、信号抑止フィルタ２２と電源出力端子Ｔ２との間の電源線２１Ａ，２１Ｂにお
いて信号抑止フィルタ２２に隣接して設けられたインピーダンス回路２３１と、このイン
ピーダンス回路２３１と端子Ｘ３Ａ，Ｘ３Ｂとの間の電源線２１Ａ，２１Ｂに設けられた
インピーダンス回路２３２とを備えている。端子Ｘ３Ａ，Ｘ３Ｂは、電源出力端子Ｔ２に
近い側の端子である。
【００４９】
インピーダンス回路２３１は、電源線２１Ａに挿入された巻線Ｌ１５と、電源線２１Ｂ
に挿入された巻線Ｌ１６とを含み、ノーマルモード信号に対して高いインピーダンスを示
すようになっている。インピーダンス回路２３２は、電源線２１Ａに挿入された巻線Ｌ１
４Ａと、電源線２１Ｂに挿入された巻線Ｌ１４Ｂと、コアＬ１４Ｃとを含むインダクタン
ス素子Ｌ１４からなる。巻線Ｌ１４Ａと巻線Ｌ１４Ｂとは相互結合して、電源線２１Ａ，
２１Ｂ間に相互インダクタンスを発生させ、コモンモード信号に対して高いインピーダン
スを示すようになっている。ここで、インピーダンス回路２３１，２３２が、本発明にお
ける「第１および第２のインピーダンス素子」の一具体例に対応し、巻線Ｌ１５，Ｌ１６
が、本発明における「第４，第５の巻線」の一具体例に対応し、インダクタンス素子Ｌ１
４が、本発明における「第３の相互インダクタンス素子」の一具体例に対応する。
【００５０】
信号抑止フィルタ２２には、図２に示したように、コンデンサＣ１３やコンデンサＣ１
４，Ｃ１５が配置されているので、この信号抑止フィルタ２２を電源出力端子Ｔ２に接続
すると、被測定機器３の発生する信号（雑音）が、これらのコンデンサＣ１３，Ｃ１４，
Ｃ１５の影響を受ける（つまり、検出対象である雑音が吸いこまれてしまう）。このため
信号分離フィルタ２３の設置が必要となる。
【００５１】
電源出力端子Ｔ２（すなわち、被測定機器３）との信号分離が成立するためには、次の
関係が必要となる。（１）式は、ノーマルモード信号の分離に必要な条件であり、（２）
式はコモンモード信号の分離に必要な条件である。
【００５２】
Ｚ（ω・Ｌ１５＋ω・Ｌ１６）≧１／（ω・［Ｃ１３］）…（１）
Ｚ（ω・Ｌ１４Ａ＋ω・Ｌ１４Ｂ）≧１／（ω・（［Ｃ１４］＋［Ｃ１５］））…（２
）
これらの式で、Ｚ（ω・Ｌ１５＋ω・Ｌ１６）は、巻線Ｌ１５，Ｌ１６によるインピー
ダンスの値であり、Ｚ（ω・Ｌ１４Ａ＋ω・ Ｌ１４Ｂ）は、巻線Ｌ１４Ａ，Ｌ１４Ｂに
よるインピーダンスの値である。また、［Ｃ１３］，［Ｃ１４］，［Ｃ１５］は、それぞ
れ、コンデンサＣ１３，Ｃ１４，Ｃ１５の容量値である。なお、ω＝２πｆ（ｆは周波数
）である。
【００５３】
図５はコモンモード信号検出回路２５の回路構成を表し、図６はそのうちの要部（ノー
マルモード信号相殺回路）の一具体例を表すものである。このコモンモード信号検回路２
５は、電源出力端子Ｔ２側の端子Ｘ４Ａ，Ｘ４Ｂと信号出力端子Ｔ３との間の電源線２１
Ａ，２１Ｂに、順次設けられたハイパスフィルタ２５０、ノーマルモード信号相殺回路２
５１および線路変換回路２５７を備えている。ここで、ハイパスフィルタ２５０が、本発
明における「第２のハイパスフィルタ」の一具体例に対応し、ノーマルモード信号相殺回
路２５１が、本発明における「ノーマルモード信号相殺回路」の一具体例に対応する。
【００５４】
ハイパスフィルタ２５０は、電源線２１Ａ，２１Ｂを伝送されてくる高周波成分である
信号を通過させると共に低周波成分である電源電圧を遮断するためのもので、図５に示し
たように、電源線２１Ａ，２１Ｂにそれぞれ挿入されたコンデンサＣ３１，Ｃ３２を含む
。線路変換回路２５７は、電源線２１Ａ，２１Ｂからなる平衡線路を不平衡線路に変換す
るためのもので、両端が電源線２１Ａ，２１Ｂにそれぞれ接続され中間点が接地された巻
線Ｌ１４Ａと、一端が接地され他端が信号出力端子Ｔ３に接続された巻線Ｌ１４Ｂと、コ
アＬ１４Ｃとを含んで構成されている。
【００５５】
ノーマルモード信号相殺回路２５１は、ハイパスフィルタ２５０を通過した信号からノ
ーマルモード信号を除去してコモンモード信号のみを通過させるもので、インダクタンス
素子２５２と、検出反転注入回路２５３と、インピーダンス素子２５４とを含む。ここで
、インダクタンス素子２５２が、本発明における「第３の相互インダクタンス素子」の一
具体例に対応し、インピーダンス素子２５４が、本発明における「インピーダンス素子」
の一具体例に対応し、検出反転注入回路２５３が、本発明における「検出反転注入回路」
の一具体例に対応する。
【００５６】
インダクタンス素子２５２は、一端が端子Ｘ５Ａに接続されるようにして電源線２１Ａ
に挿入された巻線Ｌ１２Ａと、一端が電源線２１Ｂを介して端子Ｘ５Ｂに接続された巻線
Ｌ１２Ｂと、コア１２Ｃとを含み、電源線２１Ａ，２１Ｂ間に相互インダクタンスを発生
させる相互インダクタンス素子として機能する。検出反転注入回路２５３は、図６に示し
たように、ハイパスフィルタ２５０のコンデンサＣ３１の一端Ｂと巻線Ｌ１２Ｂの他端と
の間に接続されたコンデンサＣ２２を含んで構成される。インピーダンス素子２５４は、
コンデンサＣ３１の一端Ｂと巻線Ｌ１２Ａの他端との間の電源線２１Ａに挿入された巻線
Ｌ１３Ａと、コアＬ１３Ｃとからなるインダクタンス素子Ｌ１３を含む。ここで、巻線Ｌ
１２Ａ、Ｌ１２Ｂ、Ｌ１３Ａが、本発明における「第４〜第６の巻線」の一具体例に対応
する。コンデンサＣ２２が、本発明における「第３のコンデンサ」の一具体例に対応する
。
【００５７】
このような構成のノーマルモード信号相殺回路２５１では、ハイパスフィルタ２５０の
出力側の電源線２１Ａからノーマルモード信号を検出し、これを反転した上でインダクタ
ンス素子２５２の巻線Ｌ１２Ｂに注入して巻線Ｌ１２Ａ側（電源線２１Ａ側）のノーマル
モード信号をキャンセルすることにより、ノーマルモード信号を除去することができるよ
うになっている。なお、インピーダンス素子２５４は、電源線２１Ａから巻線Ｌ１２Ａに
伝達するノーマルモード信号を減衰させると共に、その位相を遅延させて、検出反転注入
回路２５３から巻線Ｌ１２Ｂに注入される反転信号との位相差が１８０度になりやすくす
るために設けられる。
【００５８】
図７はノーマルモード信号検出回路２６の回路構成を表すものである。このノーマルモ
ード信号検出回路２６は、電源出力端子Ｔ２側の端子Ｘ６Ａ，Ｘ６Ｂと信号出力端子Ｔ４
側の端子Ｘ７Ａ，Ｘ７Ｂとの間の電源線２１Ａ，２１Ｂに順次設けられたハイパスフィル
タ２６０、コモンモード信号相殺回路２６１および線路変換回路２６７を備える。
【００５９】
ハイパスフィルタ２６０は、電源線２１Ａ，２１Ｂを伝送されてくる高周波成分である
信号を通過させると共に低周波成分である電源電圧を遮断するためのもので、電源線２１
Ａ，２１Ｂにそれぞれ挿入されたコンデンサＣ４１，Ｃ４２を含む。線路変換回路２６７
は、コモンモード信号検出回路２５に含まれる線路変換回路２５７（図５）と同様の機能
を有するもので、両端が電源線２１Ａ，２１Ｂにそれぞれ接続され中間点が接地された巻
線Ｌ２２Ａと、一端が接地され他端が信号出力端子Ｔ４に接続された巻線Ｌ２２Ｂと、コ
ア２２Ｃとを含んで構成されている。ここで、ハイパスフィルタ２６０が、本発明におけ
る「第１のハイパスフィルタ」の一具体例に対応し、コモンモード信号相殺回路２６１が
、本発明における「コモンモード信号相殺回路」の一具体例に対応する。
【００６０】
コモンモード信号相殺回路２６１は、ハイパスフィルタ２６０を通過した信号からコモ
ンモード信号を除去してノーマルモード信号のみを通過させるもので、インダクタンス素
子２６２と、検出反転回路２６３と、注入回路としての巻線Ｌ２１Ｃとを含む。なお、こ
のコモンモード信号相殺回路２６１の基本構成は、インダクタンス素子２２５を持たない
点を除き、図２に示した信号抑止フィルタ２２におけるコモンモード信号相殺回路２２１
と同様である。ここで、インダクタンス素子２６２が、本発明における「第１の相互イン
ダクタンス」の一具体例に対応し、検出反転回路２６３が、本発明における「検出反転回
路」の一具体例に対応する。
【００６１】
インダクタンス素子２６２は、電源線２１Ａ，２１Ｂにそれぞれ挿入された巻線Ｌ２１
Ａ，Ｌ２１Ｂと、コアＬ２１Ｄとを含む。巻線Ｌ２１Ａ，Ｌ２１Ｂの各一端は、それぞれ
、端子Ｘ７Ａ，Ｘ７Ｂに接続されている。検出反転回路２６３は、電源線２１Ａ，２１Ｂ
間に直列接続されたコンデンサＣ２０，Ｃ２１を含む。巻線Ｌ２１Ｃは、インダクタンス
素子２６２のコアＬ２１Ｄを共芯として巻設され、その一端はコンデンサＣ２０，Ｃ２１
の相互接続点に接続され、他端は接地接続されている。巻線Ｌ２１Ｃは、巻線Ｌ２１Ａ，
Ｌ２１Ｂとの間に相互インダクタンスを発生させるようになっている。ここで、巻線Ｌ２
１Ａ，Ｌ２１Ｂ、Ｌ２１Ｃが、それぞれ、本発明における「第１、第２および第３の巻線
」の一具体例に対応し、巻線Ｌ２１Ｃが、本発明における「注入回路」の一具体例に対応
する。コンデンサＣ２０，Ｃ２１が、本発明における「第１、第２のコンデンサ」の一具
体例に対応する。
【００６２】
このような構成のコモンモード信号相殺回路２６１では、検出反転回路２６３によって
、ハイパスフィルタ２６０の出力側の電源線２１Ａ，２１Ｂを伝播してくるコモンモード
信号を検出し、これを反転した上で巻線Ｌ２１Ｃを介してインダクタンス素子２６２の巻
線Ｌ２１Ａ，Ｌ２１Ｂに注入して、電源線２１Ａ，２１Ｂ上のコモンモード信号をキャン
セルすることにより、コモンモード信号を除去することができるようになっている。
【００６３】
次に、以上のような構成の信号検出装置の動作を説明する。
【００６４】
図示しない電源からの交流電圧は、電源入力端子Ｔ１から信号検出装置２に入力され、１対の電源線２１Ａ，２１Ｂによって電源出力端子Ｔ２に導かれて被測定機器３に供給される。このとき、信号抑止フィルタ２２は、電源入力端子Ｔ１から入力された電源電圧に含まれる高周波信号（コモンモード信号およびノーマルモード信号の双方を含む、いわゆる雑音）を抑止し、電源周波数の交流電圧成分のみを通過させる。したがって、被測定機器３には、高周波信号を含まないクリーンな交流電圧が供給され、被測定機器３は、この交流電圧に基づいて動作する。
【００６５】
被測定機器３は、その動作過程において、様々な周波数の高周波信号（コモンモード信
号およびノーマルモード信号の双方を含む、いわゆる雑音）を発生する。この高周波信号
は、電源出力端子Ｔ２から信号検出装置２に進入し、電源線２１Ａ，２１Ｂを伝搬する。
このとき、信号分離フィルタ２３は、電源出力端子Ｔ２からの高周波信号が信号抑止フィ
ルタ２２に伝達されるのを阻止する。このため、信号抑止フィルタ２２に吸収されて、検
出対象である高周波信号のレベルが低下することが防止される。
【００６６】
コモンモード信号検出回路２５は、スイッチＳ１が閉じられることにより、電源出力端
子Ｔ２から進入した電源線２１Ａ，２１Ｂ上の高周波信号のうちのノーマルモード信号を
抑止し、コモンモード信号のみを取り出して信号出力端子Ｔ３から出力する。ノーマルモ
ード信号検出回路２６は、スイッチＳ２が閉じられることにより、電源出力端子Ｔ２から
進入した電源線２１Ａ，２１Ｂ上の高周波信号のうちのコモンモード信号を抑止し、ノー
マルモード信号のみを取り出して信号出力端子Ｔ４から出力する。また、信号出力端子Ｔ
５は、スイッチＳ１，Ｓ２が共に開いた状態のときに、電源出力端子Ｔ２から進入した電
源線２１Ａ，２１Ｂ上のコモンモード信号およびノーマルモード信号の混合信号を出力す
る。
【００６７】
コモンモード信号を検出するときには、スイッチＳ２をオフ（開放）状態とすることが
好ましい。スイッチＳ２をオン（接続）状態にしておくと、検出対象であるコモンモード
信号がノーマルモード信号検出回路２６にも入力され、ここで除去される結果、コモンモ
ード信号検出回路２５におけるコモンモード信号の検出レベルが低下するからである。同
様に、ノーマルモード信号を検出するときには、スイッチＳ１をオフ状態とすることが好
ましい。スイッチＳ１をオン状態にしておくと、検出対象であるノーマルモード信号がコ
モンモード信号検出回路２５にも入力され、ここで除去される結果、ノーマルモード信号
検出回路２６におけるノーマルモード信号の検出レベルが低下するからである。コモンモ
ード信号およびノーマルモード信号の混合信号を信号出力端子Ｔ４から検出する場合に、
上記のようにスイッチＳ１，Ｓ２を共にオフ状態にするのも同様の理由による。
【００６８】
但し、コモンモード信号を検出するときに、スイッチＳ２をオン状態としていても、コ
モンモード信号検出回路２５によってコモンモード信号を検出できなくなるわけではない
し、ノーマルモード信号を検出するときに、スイッチＳ１をオン状態としていても、ノー
マルモード信号検出回路２６によってノーマルモード信号を検出できなくなるわけではな
い。コモンモード信号およびノーマルモード信号の混合信号を信号出力端子Ｔ４から検出
するときに、スイッチＳ１，Ｓ２のいずれか一方または両方をオン状態にしていても、混
合信号を検出できなくわけではない。これらのいずれの場合にも、検出レベルは低くなる
ものの、どのような周波数帯に信号が存在するかという周波数分布や、周波数ごとの信号
の相対レベルを知ることは可能である。
【００６９】
次に、各部の動作を説明する。
【００７０】
図２に示した信号抑止フィルタ２２は次のように動作する。
【００７１】
信号抑止フィルタ２２のコモンモード信号相殺回路２２１では、端子Ｘ１Ａ，Ｘ１Ｂか
ら電源線２１Ａ，２１Ｂ上を伝播してくるコモンモード信号を検出反転回路２２４によっ
て検出し、これを反転した上で巻線Ｌ１１Ｃを介してインダクタンス素子２２６の巻線Ｌ
１１Ａ，Ｌ１１Ｂに注入することにより、電源線２１Ａ，２１Ｂ上のコモンモード信号を
キャンセルし、コモンモード信号を除去する。検出反転回路２２４とインダクタンス素子
２２６との間には、コモンモード信号に対するインピーダンス素子としてのインダクタン
ス素子２２５が配置されているので、コモンモード信号をより効果的に減衰させることが
できると共に、その位相を遅延させて、検出反転回路２２４から巻線Ｌ１１Ｃに注入され
る反転信号との位相差が１８０度になるようにすることができる。
【００７２】
ノーマルモード信号抑止回路２２２では、コンデンサＣ１２，Ｃ１３が、インダクタン
ス素子２２５，２２６のリーケージインダクタンスと協働してπ型ノーマルモードフィル
タとして機能し、ノーマルモード信号を抑止する。
【００７３】
コモンモード信号抑止回路２２３では、コンデンサＣ１４，Ｃ１５が協働して、特に高
域におけるコモンモード信号を抑止する。したがって、コモンモード信号相殺回路２２１
で高域のコモンモード信号が抑止しきれなかったとしても、これを後段のコモンモード信
号抑止回路２２３が抑止するので、広い帯域でコモンモード信号を抑止することが可能と
なる。
【００７４】
このように、本実施の形態の信号抑止フィルタ２２では、例えば図１１に示した一般的
なノーマルモード信号抑止フィルタ１２２Ａや図１２に示した一般的なコモンモード信号
抑止フィルタ１２２Ｂを用いた場合に比べて、より広い帯域での信号抑止が可能である。
図１１および図１２に示したフィルタはいずれもＬＣ共振を利用したものなので、周波数
依存性が強いのに対し、本実施の形態の信号抑止フィルタ２２では、原理的に、周波数に
かかわらずコモンモード信号とその反転信号とを相殺させることにより信号を抑止するコ
モンモード信号相殺回路２２１を使用しているからである。
【００７５】
また、仮に図１１、図１２に示したＬＣフィルタを用いて広帯域の信号抑止特性を得よ
うとした場合には、従来例として説明した図１９の場合と同様に巨大な空芯コイルを用い
ざるを得ないので、装置が相当大型化することが考えられる。これに対して、本実施の形
態の信号抑止フィルタ２２では、コモンモード信号相殺回路２２１がＬＣ共振回路ではな
いので、インダクタンス素子２２５やインダクタンス素子２２６のコアＬ１０Ｃ，Ｌ１１
Ｄとしてフェライトコアを使用でき、広帯域の信号抑止特性を確保しつつ装置の小型化が
可能である。
【００７６】
なお、図１１に示したノーマルモード信号抑止フィルタ１２２Ａは、電源線２１Ａ，２
１Ｂにそれぞれ挿入されたインダクタンス素子Ｌ６１，Ｌ６２と、インダクタンス素子Ｌ
６１，Ｌ６２の両側位置で電源線２１Ａ，２１Ｂ間に設けられたコンデンサＣ６１，Ｃ６
２とからなるものである。また、図１２に示したコモンモード信号抑止フィルタ１２２Ｂ
は、電源線２１Ａ，２１Ｂにそれぞれ挿入された巻線Ｌ７１Ａ，Ｌ７１ＢおよびコアＬ７
１Ｃよりなる相互インダクタンス素子Ｌ７１と、電源線２１Ａ，２１Ｂ間に直列接続され
たコンデンサＣ７１，Ｃ７２とからなるものである。
【００７７】
図４に示した信号分離フィルタ２３は次のように動作する。
【００７８】
信号分離フィルタ２３では、インピーダンス回路２３１は、上記した（１）式を満たす
ことによりノーマルモード信号に対して高いインピーダンスを示し、インピーダンス回路
２３２は、（２）式を満たすことにより、コモンモード信号に対して高いインピーダンス
を示す。この結果、被測定機器３の発生するコモンモード信号およびノーマルモード信号
を含む高周波信号が信号抑止フィルタ２２におけるコンデンサＣ１３，Ｃ１４，Ｃ１５に
よって吸いこまれてしまうのを阻止することができる。
【００７９】
図５および図６に示したコモンモード信号検出回路２５は次のように動作する。
【００８０】
コモンモード信号検出回路２５では、ハイパスフィルタ２５０が、電源線２１Ａ，２１
Ｂを伝送されてくる高周波成分である信号を通過させると共に低周波成分である電源電圧
を遮断する。ノーマルモード信号相殺回路２５１は、ハイパスフィルタ２５０を通過した
信号からノーマルモード信号を除去してコモンモード信号のみを通過させる。より具体的
には、検出反転注入回路２５３（コンデンサＣ２２）によって、ハイパスフィルタ２５０
の出力側の電源線２１Ａからノーマルモード信号を検出し、これを反転した上でインダク
タンス素子２５２の巻線Ｌ１２Ｂに注入して巻線Ｌ１２Ａ側（電源線２１Ａ側）のノーマ
ルモード信号をキャンセルすることにより、ノーマルモード信号を除去する。このとき、
インピーダンス素子２５４（インダクタンス素子Ｌ１３）は、電源線２１Ａから巻線Ｌ１
２Ａに伝達するノーマルモード信号を減衰させると共に、その位相を遅延させて、検出反
転注入回路２５３から巻線Ｌ１２Ｂに注入される反転信号との位相差が１８０度になるよ
うに作用するので、信号同士のキャンセルが十分に行われる。
【００８１】
このコモンモード信号検出回路２５では、前段のハイパスフィルタ２５０によって電源
周波数成分をデカップリング（除去）するようにしているので、後段の回路は高周波信号
（ノーマルモード信号）の除去のみを考慮して設計すればよい。このため、インダクタン
ス素子２５２のコアＬ１２Ｃとしてフェライトコアを使用することができ、図１１に示し
たノーマルモード信号抑止フィルタ１２２Ａに比べて小型化が可能である。
【００８２】
図７に示したノーマルモード信号検出回路２６は次のように動作する。
【００８３】
ノーマルモード信号検出回路２６では、ハイパスフィルタ２６０が、電源線２１Ａ，２
１Ｂを伝送されてくる高周波成分である信号を通過させると共に低周波成分である電源電
圧を遮断する。コモンモード信号相殺回路２６１は、ハイパスフィルタ２６０を通過した
信号からコモンモード信号を除去してノーマルモード信号のみを通過させる。より具体的
には、検出反転回路２６３によって、ハイパスフィルタ２６０の出力側の電源線２１Ａ，
２１Ｂを伝播してくるコモンモード信号を検出し、これを反転した上で巻線Ｌ２１Ｃを介
してインダクタンス素子２６２の巻線Ｌ２１Ａ，Ｌ２１Ｂに注入して、電源線２１Ａ，２
１Ｂ上のコモンモード信号をキャンセルすることにより、コモンモード信号を除去する。
【００８４】
このノーマルモード信号検出回路２６では、前段のハイパスフィルタ２６０によって電
源周波数成分をデカップリングするようにしているので、後段の回路は高周波信号（コモ
ンモード信号）の除去のみを考慮して設計すればよい。このため、インダクタンス素子２
６２のコアＬ２１Ｄとしてフェライトコアを使用することができ、図１２に示したコモン
モード信号抑止フィルタ１２２Ｂに比べて小型化が可能である。
【００８５】
次に、図１３〜図１７を参照して、本実施の形態の信号検出装置における信号検出性能
について説明する。
【００８６】
図１３は、信号抑止フィルタ２２の特性の一例を表すものである。横軸は周波数［単位
ＭＨｚ］を示し、縦軸は減衰量［単位ｄＢ］を示す。この図から明らかなように、周波数
帯１５０ＫＨｚ〜３０ＭＨｚにおいて、コモンモード信号（符号ＣＭ）およびノーマルモ
ード信号（符号ＮＭ）の双方について、６０ｄＢ以上の減衰量があり、電源供給源の雑音
を抑止できることがわかる。
【００８７】
図１４は、本実施の形態の信号検出装置２を、電波暗室ではなく一般的な測定環境に設置した場合における暗雑音（すなわち、被測定機器３を接続しない状態での雑音）の測定
結果を表すものである。横軸は周波数［単位ＭＨｚ］を示し、縦軸は雑音レベル  ［単位
ｄＢμＶ］を示す。この図から明らかなように、周波数帯１５０ＫＨｚ〜３０ＭＨｚにお
いて、コモンモード信号（符号ＣＭ）およびノーマルモード信号（符号ＮＭ）の双方につ
いて、３０ｄＢμＶ以下となっており、ポータブルでありながら、雑音端子電圧の測定が
充分可能な環境になっていると考えられる。
【００８８】
図１５は、被測定機器３の発生する雑音を想定し、雑音源からノーマルモード信号およ
びコモンモード信号の双方を電源出力端子Ｔ２に印加した場合における信号出力端子Ｔ３
に現れるコモンモード信号のレベル（減衰量）を測定した場合の測定結果を表すものであ
る。横軸は周波数［単位ＭＨｚ］を示し、縦軸は減衰量［単位ｄＢ］を示す。周波数帯１
５０ＫＨｚ〜３０ＭＨｚにおいて、コモンモード信号（符号ＣＭ）は減衰なく通過する一
方、ノーマルモード信号（符号ＮＭ）は６０ｄＢの減衰量を得ている。このことから、実
用上、十分なモード分離が達成されていることがわかる。
【００８９】
図１６は、被測定機器３の発生する雑音を想定し、雑音源からノーマルモード信号およ
びコモンモード信号の双方を電源出力端子Ｔ２に印加した場合における信号出力端子Ｔ４
に現れる信号レベル（減衰量）を測定した場合の測定結果を表すものである。横軸は周波
数［単位ＭＨｚ］を示し、縦軸は減衰量［単位ｄＢ］を示す。周波数帯１５０ＫＨｚ〜３
０ＭＨｚにおいて、ノーマルモード信号（符号ＮＭ）は減衰なく通過する一方、コモンモ
ード信号（符号ＣＭ）は６０ｄＢの減衰量を得ている。このことから、実用上、十分なモ
ード分離が達成されていることがわかる。
【００９０】
図１７は、被測定機器３として、ある掃除機を例にとり、本実施の形態の信号検出装置
を用いてコモンモード信号およびノーマルモード信号を測定した場合の測定結果を表すも
のである。横軸は周波数［単位Ｈｚ］を示し、縦軸は信号レベル［単位ｄＢ］を示す。こ
の図から、周波数帯域によって雑音の発生量が異なることがわかり、研究開発技術者にと
って対策すべきことが明らかになる。すなわち、本実施の形態の信号検出装置は、コンパ
クトかつモバイル可能で有用な開発ツールとしての機能を十分に発揮することが可能であ
る。
【００９１】
以上説明したように、本実施の形態によれば、電源入力端子Ｔ１に接続された電源線２
１Ａ，２１Ｂに、電源電圧に含まれる高周波信号を抑止する信号抑止フィルタ２２と、高
周波信号の伝達を阻止する信号分離フィルタ２３とを直列に設け、電源出力端子Ｔ２と信
号分離フィルタ２３との間の電源電圧に含まれる高周波信号を信号出力端子Ｔ３〜Ｔ５か
ら出力するようにしたので、電源からの高周波信号を信号抑止フィルタ２２および信号分
離フィルタ２３という２段構成の信号遮断回路によって確実にブロックすることができる
。すなわち、信号抑止フィルタ２２または信号分離フィルタ２３のいずれか一方だけの場
合に比べて、信号遮断性能が高くなる。このため、電源ノイズの測定系への影響を排除す
ることができる。
【００９２】
また、信号抑止フィルタ２２と電源出力端子Ｔ２との間に高周波信号の伝達を阻止する
信号分離フィルタ２３を設けるようにしたので、被測定機器３で発生した高周波信号が信
号抑止フィルタ２２によって吸収されてしまうのを阻止することができ、信号出力端子Ｔ
３〜Ｔ５における信号検出レベルの低下を防ぐことができる。
【００９３】
また、コモンモード信号抑止手段の要部としてコモンモード信号相殺回路２２１を含む
ように信号抑止フィルタ２２を構成したので、ＬＣ共振を利用してコモンモード信号抑止
手段を構成した場合と比べて、回路ひいては信号検出装置の小型化が可能となる。
【００９４】
また、コモンモード信号相殺回路２２１の後段に、特に高域においてコモンモード信号
を有効に抑止することができるコモンモード信号抑止回路２２３を設けるようにしたので
、より広い帯域でコモンモード信号を抑止することが可能となる。
【００９５】
また、コモンモード信号検出回路２５とノーマルモード信号検出回路２６とを互いに独
立に設けるようにしたので、コモンモード信号とノーマルモード信号とを個別に検出する
ことができる。また、コモンモード信号検出回路２５およびノーマルモード信号検出回路
２６の入力端に、スイッチＳ１，Ｓ２をそれぞれ設けるようにしたので、コモンモード信
号およびノーマルモード信号のうちの一方の信号を測定しているときに、その測定値が、
他方の信号を測定するための検出回路の影響を受けることがなく、正確な値を得ることが
できる。
【００９６】
［変形例１］
図７に示したノーマルモード信号検出回路２６に代えて、図８に示したようなノーマル
モード信号検出回路２６Ａを用いるような変形も可能である。このノーマルモード信号検
出回路２６Ａは、図７のコモンモード信号相殺回路２６１における検出反転回路２６３の
後段（端子Ｘ７Ａ，Ｘ７Ｂ側）にインダクタンス素子２６４を加えて、図２に示したコモ
ンモード信号相殺回路２２１と同様の構成としたものである。インダクタンス素子２６４
は、図２におけるインダクタンス素子２２５と同じもので、電源線２１Ａに挿入された巻
線Ｌ１０Ａと、電源線２１Ｂに挿入された巻線Ｌ１０Ｂと、コアＬ１０Ｃとを含む。その
他の構成は図７の場合と同様である。ここで、コモンモード信号相殺回路２６１Ａが、本
発明における「コモンモード信号相殺回路」の他の一具体例に対応し、インダクタンス素
子２６４が、本発明における「第２の相互インダクタンス素子」の他の一具体例に対応する。
【００９７】
この変形例では、インダクタンス素子２６４によって電源線２１Ａ，２１Ｂ間に相互イ
ンダクタンスが発生し、コモンモード信号に対するインピーダンスが高くなるので、コモ
ンモード信号をより効果的に減衰させることができると共に、その位相を遅延させて、検
出反転回路２６３から巻線Ｌ２１Ｃに注入される反転信号との位相差が１８０度になるよ
うにすることができる。
【００９８】
［変形例２］
また、図５に示したコモンモード信号検出回路２５に代えて、図９に示したようなコモ
ンモード信号検出回路２５Ｂを用いるような変形も可能である。このコモンモード信号検
出回路２５Ｂは、図５におけるコモンモード信号検出回路２５のノーマルモード信号相殺
回路２５１に代えてノーマルモード信号抑止回路２５５を備えると共に、線路変換回路２
５７に代えて線路変換回路２５８を備えている。
【００９９】
このノーマルモード信号抑止回路２５５は、ハイパスフィルタ２５０の出力側の電源線
２１Ａ，２１Ｂに、ハイパスフィルタ２５０に近い方から順に、コンデンサＣ３３と、イ
ンダクタンス素子Ｌ３１と、コンデンサＣ３４とを備えている。コンデンサＣ３３は、電
源線２１Ａ，２１Ｂ間に接続されている。インダクタンス素子Ｌ３１は、電源線２１Ａ，
２１Ｂにそれぞれ挿入された巻線Ｌ３１Ａ，Ｌ３１ＢおよびコアＬ３１Ｃから構成される
。コンデンサＣ３３およびインダクタンス素子Ｌ３１は、協働して、初段のＬＣフィルタ
を構成している。コンデンサＣ３４は、電源線２１Ａ，２１Ｂ間に接続されている。コン
デンサＣ３４およびインダクタンス素子Ｌ３２は、協働して、次段のＬＣフィルタを構成
している。すなわち、コモンモード信号検出回路２５Ｂは、２段構成のＬＣフィルタとし
て機能する。線路変換回路２５８は、両端が電源線２１Ａ，２１Ｂにそれぞれ接続された
巻線Ｌ３２Ａと、コアＬ３２Ｃとを含んで構成されている。巻線Ｌ３２Ａの中間位置は、
信号出力端子Ｔ３に接続されている。
【０１００】
このような構成のコモンモード信号検出回路２５Ｂでは、ハイパスフィルタ２５０は、
電源周波数をカットし、コモンモード信号およびノーマルモード信号の混合信号を通過さ
せる。コモンモード信号検出回路２５Ｂは、この混合信号のうちのノーマルモード信号の
みを抑止し、線路変換回路２５８は、平衡線路を不平衡線路に変換する。これにより、信
号出力端子Ｔ３にはコモンモード信号のみが現れる。
【０１０１】
［変形例３］
図７に示したノーマルモード信号検出回路２６に代えて、図１０に示したようなノーマ
ルモード信号検出回路２６Ｂを用いるような変形も可能である。このノーマルモード信号
検出回路２６Ｂは、図７におけるノーマルモード信号検出回路２６のコモンモード信号相
殺回路２６１に代えて、コモンモード信号抑止回路２６５を備えている。その他の構成は
、図７のノーマルモード信号検出回路２６と同様である。
【０１０２】
コモンモード信号抑止回路２６５は、ハイパスフィルタ２６０の出力側の電源線２１Ａ
，２１Ｂに、インダクタンス素子Ｌ４１を備える。インダクタンス素子Ｌ４１は、電源線
２１Ａ，２１Ｂにそれぞれ挿入された巻線Ｌ４１Ａ，Ｌ４１Ｂと、コアＬ４１Ｃとを含ん
で構成されている。
【０１０３】
このような構成のノーマルモード信号検出回路２６Ｂでは、ハイパスフィルタ２６０は
、電源周波数をカットして、コモンモード信号およびノーマルモード信号の混合信号を通
過させる。コモンモード信号抑止回路２６５は、この混合信号からコモンモード信号のみ
を選択的に除去する。これにより、信号出力端子Ｔ４にはノーマルモード信号のみが現れ
る。
【０１０４】
以上、実施の形態および実施例を挙げて本発明を説明したが、本発明はこれらに限定さ
れず、種々の変形が可能である。例えば、上記各実施の形態では、信号出力端子Ｔ３，Ｔ
４のほかに、混合信号を出力するための信号出力端子Ｔ５をも設けるようにしたが、これ
は必ずしも必要はなく、省略してもよい。
【図面の簡単な説明】
【０１０５】
【図１】本発明の一実施の形態に係る信号検出装置の全体構成を表すブロック図である。
【図２】図１に示した信号検出装置における信号抑止フィルタの構成を示す回路図である。
【図３】図２に示した信号抑止フィルタの主要な機能を説明するための図である。
【図４】図１に示した信号検出装置における信号分離フィルタの構成を示す回路図である。
【図５】図１に示した信号検出装置におけるコモンモード信号検出回路の構成を示す機能ブロック図である。
【図６】図１に示した信号検出装置におけるコモンモード信号検出回路の構成を示す回路図である。
【図７】図１に示した信号検出装置におけるノーマルモード信号検出回路の構成を示す回路図である。
【図８】ノーマルモード信号検出回路の変形例を示す回路図である。
【図９】コモンモード信号検出回路の変形例を示す回路図である。
【図１０】ノーマルモード信号検出回路の他の変形例を示す回路図である。
【図１１】比較例に係るノーマルモード信号抑止フィルタの構成を示す回路図である。
【図１２】比較例に係るコモンモード信号抑止フィルタの構成を示す回路図である。
【図１３】本実施の形態の信号検出装置に用いられる信号抑止フィルタの特性の一例を表す特性図である。
【図１４】本実施の形態の信号検出装置における暗雑音の測定結果を表す図である。
【図１５】ノーマルモード信号およびコモンモード信号の双方を電源出力端子に印加したときに信号出力端子に現れるコモンモード信号の測定結果を表す図である。
【図１６】ノーマルモード信号およびコモンモード信号の双方を電源出力端子に印加したときに信号出力端子に現れるノーマルモード信号の測定結果を表す図である。
【図１７】被測定機器の一例としての掃除機から発生する高周波（コモンモード信号およびノーマルモード信号）を、本実施の形態の信号検出装置を用いて測定した場合の測定結果を表す図である。
【図１８】従来の雑音端子電圧測定システムの構成を示すブロック図である。
【図１９】図１８に示した測定装置の構成を示すブロック図である。
【符号の説明】
【０１０６】
２…信号検出装置、３…被測定機器、２２…信号抑止フィルタ、２３…信号分離フィル
タ、２５…コモンモード信号検出回路、２６…ノーマルモード信号検出回路、２７，２５
７，２５８，２６７…線路変換回路、２２１，２６１…コモンモード信号相殺回路、２２
２…ノーマルモード信号抑止回路、２２３…コモンモード信号抑止回路、２２４…検出反
転回路、２２５，２２６，２５２，２６２，２６４…インダクタンス素子、２３１，２３
２…インピーダンス回路、２５０，２６０…ハイパスフィルタ、２５１…ノーマルモード
信号相殺回路、２５３…検出反転注入回路、２５４…インピーダンス素子、２５５…ノー
マルモード信号抑止回路、２６３…検出反転回路、２６５…コモンモード信号抑止回路、
Ｓ１，Ｓ２，Ｓ３…スイッチ、Ｔ１…電源入力端子、Ｔ２…電源出力端子、Ｔ３，Ｔ４，
Ｔ５…信号出力端子、Ｌ１１Ａ〜Ｌ１１Ｃ，Ｌ１２Ａ，Ｌ１２Ｂ，Ｌ２１Ａ〜Ｌ２１Ｃ…
巻線、Ｌ１４，Ｌ１５，Ｌ１６…インダクタンス素子、Ｃ１０〜Ｃ１５，Ｃ３１，Ｃ３２
…コンデンサ。
【図１】
0004561962.tif 000002
【図２】
0004561962.tif 000003
【図３】
0004561962.tif 000004
【図４】
0004561962.tif 000005
【図５】
0004561962.tif 000006
【図６】
0004561962.tif 000007
【図７】
0004561962.tif 000008
【図８】
0004561962.tif 000009
【図９】
0004561962.tif 000010
【図１０】
0004561962.tif 000011
【図１１】
0004561962.tif 000012
【図１２】
0004561962.tif 000013
【図１３】
0004561962.tif 000014
【図１４】
0004561962.tif 000015
【図１５】
0004561962.tif 000016
【図１６】
0004561962.tif 000017
【図１７】
0004561962.tif 000018
【図１８】
0004561962.tif 000019
【図１９】
0004561962.tif 000020